(57)【要約】【課題】畦際で停車してこの畦際の穀稈を刈り取る際に、刈取装置における穀稈の詰まりを防止して、刈取作業の能率を向上させる。【解決手段】変速レバー（９ａ）によって出力回転速度を変更自在な油圧式無段変速装置（１０）と、該油圧式無段変速装置（１０）の出力によって駆動される走行装置（３）および刈取装置（４）と、駐車用ブレーキペダル（１３ａ）の踏み込み操作によって油圧式無段変速装置（１０）から走行装置（３）に至る駆動力伝達経路中に設けた左右両側のサイドクラッチ（１２）を遮断すると共に刈取装置（４）の駆動速度を低速側に切り換える連繋機構を設ける。【選択図】図１
2009232771.tif 000002
【特許請求の範囲】
【請求項１】
変速レバー（９ａ）の操作によって出力回転速度を変更自在な油圧式無段変速装置（１０）と、該油圧式無段変速装置（１０）の出力によって駆動される走行装置（３）および刈取装置（４）と、駐車用ブレーキペダル（１３ａ）の踏み込み操作によって油圧式無段変速装置（１０）から走行装置（３）に至る駆動力伝達経路中に設けた左右両側のサイドクラッチ（１２）を遮断すると共に刈取装置（４）の駆動速度を低速側に切り換える連繋機構を設けたことを特徴とするコンバイン。
【発明の詳細な説明】
【技術分野】
【０００１】
この発明は、コンバインに関するものである。
【背景技術】
【０００２】
特許文献１に示すように、変速レバーの操作によって出力回転速度を変更自在な油圧式無段変速装置と、該油圧式無段変速装置の出力によって駆動される走行装置および刈取装置と、駐車用ブレーキペダルの踏み込み操作によって油圧式無段変速装置から走行装置に至る駆動力伝達経路中に設けた左右両側のサイドクラッチを遮断する技術が知られている。
【０００３】
また、油圧式無段変速装置によって駆動される刈取装置の駆動速度を変速切り換えする技術も知られている。
【特許文献１】特開２００５−３２９８８７号公報
【発明の開示】
【発明が解決しようとする課題】
【０００４】
例えば倒伏穀稈を刈り取る場合に、刈取装置の駆動速度を高速側に切り換えた状態で刈取走行する。この刈取走行によって畦際に到達し、変速レバーを中立位置へ操作して停車し、駐車用ブレーキペダルを踏み込み操作して左右両側のサイドクラッチを遮断操作し、変速レバーを再度前進側へ操作すると、油圧式無段変速装置の駆動出力によって刈取装置が駆動されるのであるが、刈取装置が高速で駆動されるために、刈取装置に穀稈の詰まりが生じて作業続行不能の状態に陥る問題があった。
【課題を解決するための手段】
【０００５】
上述のような課題を解決するために、この発明は、次のような技術手段を講じる。
即ち、変速レバー（９ａ）の操作によって出力回転速度を変更自在な油圧式無段変速装置（１０）と、該油圧式無段変速装置（１０）の出力によって駆動される走行装置（３）および刈取装置（４）と、駐車用ブレーキペダル（１３ａ）の踏み込み操作によって油圧式無段変速装置（１０）から走行装置（３）に至る駆動力伝達経路中に設けた左右両側のサイドクラッチ（１２）を遮断すると共に刈取装置（４）の駆動速度を低速側に切り換える連繋機構を設けたことを特徴とするコンバインとしたものである。
【０００６】
畦際まで立毛穀稈を刈取り、変速レバー９ａを中立位置へ操作して走行を停止し、駐車用ブレーキペダル１３ａを踏み込むと、左右両側のサイドクラッチ１２が遮断される。
この状態で、変速レバー９ａを再度前進側へ操作すると、油圧式無段変速装置１０の駆動により、走行停止状態のまま刈取装置４が回転駆動されて、畦際の立毛穀稈が刈り取られる。
【０００７】
この際、刈取走行中に刈取装置４の駆動速度が高速側に切り換えられていても、駐車用ブレーキペダル１３ａの踏み込み操作によって、この刈取装置４の駆動速度が低速側に切り換えられるため、刈取装置４は低速で駆動される。
【発明の効果】
【０００８】
この発明によると、畦際で停車してこの畦際の穀稈を刈り取る際に、刈取装置４が過剰な高速で駆動されず、刈取装置４における穀稈の詰まりを防止して、刈取作業の能率を向上させることができる。
【発明を実施するための最良の形態】
【０００９】
以下、本発明の一実施例を図面に基づいて説明する。
コンバイン１の走行車台２下側の左右両側に走行クローラ３ａを張設した走行装置３を設け、該走行車台２の前方部には、立毛穀稈を刈取り後方上部へ移送する刈取装置４を設け、該走行車台２の上側面部には、該刈取装置４で後方上部へ移送される刈取り穀稈を引継ぎ脱穀する脱穀装置５と、該脱穀装置５の右横側には、脱穀済みで選別済みの穀粒の供給を受けて、一時貯留する穀粒貯留タンク６とを載置している。
【００１０】
該穀粒貯留タンク６の前部には、運転作業者が着座する操縦席７を設け、該操縦席７の前部には、操作装置８を設け、該操作装置８には、主変速レバー（変速レバー）９ａ等を設けている。畦際まで立毛穀稈を刈取りして、該コンバイン１の機体１ａが停止した状態で、該主変速レバー９ａを再度前進側へ操作すると、油圧式無段変速装置１０の駆動により、該刈取装置４が回転駆動され、畦際の立毛穀稈が刈取り移送され、該脱穀装置５へ供給されて脱穀される。この時にミッションケース１１の左右両側に内装して設けた、各サイドクラッチ１２が切れても、駆車用ブレーキ１３が掛かっているために、該油圧式無段変速装置１０が駆動しても、該機体１ａが前進しない構成において、刈取用クラッチ１１ａが「入」状態の時に、駆車用ブレーキペタル１３ａを踏むと、刈取速度を「低速」に自動的に切り換えた後に、解除後もとの刈取変速位置に自動復帰する構成にして設けている。
【００１１】
前記コンバイン１の走行車台２の下側には、図４で示すように、土壌面を走行する左右一対の走行クローラ３ａを張設した走行装置３を配設し、走行車台２の上側面に脱穀装置５を載置している。該走行車台２の前方部の刈取装置４で立毛穀稈を刈り取りして、後方上部に移送し、該脱穀装置５のフィードチェン５ａと、挟持杆５ｂとで引継いで挟持移送しながら脱穀する。脱穀済みで選別済み穀粒は、該脱穀装置５の右横側へ配設した穀粒貯留タンク６内へ供給され、一時貯留される。
【００１２】
立毛穀稈を畦際まで刈取りして、前記機体１ａが停止した状態で、操作装置８に設けた主変速レバー９ａを再度前進側へ操作することにより、図１で示すように、油圧式無段変速装置１０の駆動により、刈取装置４が回転駆動されて、畦際の立毛穀稈が該刈取装置４で刈取り移送されて、脱穀装置５へ供給されて、この脱穀装置５のフィードチェン５ａと挟持杆５ｂとにより、引継ぎされて、該脱穀装置５内を挟持移送され、この脱穀装置５で脱穀される。
【００１３】
この時に、前記走行車台２の前部に設けたギャーケース１１に内装して左右両側に設けた各サイドクラッチ１２が切れても、駆車用ブレーキ１３が掛かっているために、前記油圧式無段変速装置１０が駆動しても、機体１ａが前進しないように設けた構成において、刈取用クラッチ１１ａが「入」状態の時に、走行車台２のステップ台２ａに設けた駆車用ブレーキ１３の駆車用ブレーキペタル１３ａを踏むと、刈取装置４の刈取速度を「低速」に自動的に切り換えた後に、解除後もとの刈取変速位置に自動復帰すべく構成にして設け、又、戻り用のスプリング１３ｂを設けた構成としている。
【００１４】
これにより、畦際まで立毛穀稈を刈取りして、コンバイン１の機体１ａを停止操作した状態で、主変速レバー９ａを再度前進側へ操作すると、油圧式無段変速装置１０の駆動により、刈取装置４が回転駆動されて、畦際の立毛穀稈が刈取り移送され、脱穀装置５へ供給されて脱穀される。
【００１５】
この時に左右両側に設けた各サイドクラッチ１２が切れても、駆車用ブレーキ１３が掛かっているために、該油圧式無段変速装置１０が駆動しても、該機体１ａが前進しない構成において、刈取用クラッチ１１ａが「入」状態の時に、駆車用ブレーキペタル１３ａを踏むと、刈取速度を「低速」に自動的に切り換えた後に、解除後もとの刈取変速位置に自動復帰する構成に設けたことにより、前回の作業条件で作業ができる。又、操作の必要がなく便利である。操作性が良好である。
【００１６】
図２で示すように、前記刈取装置４を主変速レバー９ａを「ＯＮ」操作時に駆車用ブレーキ１３の駆車用ブレーキペタル１３ａを踏み込むと、主変速レバー９ａを装着する、操作装置８に設けたレバー用溝９ｂを、図５で示すように、略へ字形状に形成して回動自在に設けた規制体１４により、該レバー用溝９ｂの前進側の該レバー用溝９ｂの長さが短く規制され、該刈取装置４の刈取り作業時の前進の最高回転数の最高値を規制する構成である。この最高回転数規制方法は、該主変速レバー９ａの該レバー用溝９ｂの長さを、該規制体１４で短く規制して、最高回転数を所定回転低下させる構成である。
【００１７】
これにより、穀稈の掻込み操作を高速回転で行うと、未刈り稈を掻き込んでしまい、前記刈取装置４の掻込装置１９に詰まることがあるが、低速の該掻込装置１９であれば問題ない。
【００１８】
前記操作装置８の主変速レバー９ａのレバー用溝９ｂの一方側の横側には、図６で示すように、掻き込み範囲８ａを表示すると共に、矢視８ｂの表示を設けた構成である。又、該レバー用溝９ｂの前方側は、略Ｌ字形状に折曲させて設けている。
【００１９】
これにより、掻込み操作を高速回転で行うと、未刈り稈を掻き込んでしまい、刈取装置４の掻込み部に詰まる。又、低速掻込みであれば問題ない。
前記走行車台２の前方部には、図４で示すように、立毛穀稈を分離するナローガイド１５、及び各分草体１６と、立毛穀稈を引起す各引起装置１７と、引起された穀稈を掻込みする穀稈掻込移送装置１８の各掻込装置１９と、掻込された穀稈を刈取る刈刃装置２０と、刈取りされた穀稈を挟持移送して脱穀装置５のフィードチェン５ａと、挟持杆５ｂとへ受渡しする該穀稈掻込移送装置１８の根元・穂先移送装置２１・２２等からなる刈取装置４を設けている。該刈取装置４は、油圧駆動による伸縮シリンダ２４により、土壌面に対して昇降する。該伸縮シリンダ２４の後方部は、伸縮シリンダ取付台２３に装着して設けている。
【００２０】
前記刈取装置４の前方下部から後方上部へ傾斜する支持杆２５の上端部に設ける支持パイプ杆２６を、走行車台２の上側面に設けた支持装置２７で回動自在に支持させている。該伸縮シリンダ２４を作動させると該支持杆２５と共に、該刈取装置４が上下回動する。
【００２１】
前記刈取装置４の穀稈掻込移送装置１８によって形成される穀稈移送経路中には、刈取られて移送する穀稈に接触作用することにより、脱穀装置５への穀稈の供給の有無を検出する穀稈センサ４ａを設けている。
【００２２】
前記穀粒貯留タンク６側の前部には、図４で示すように、コンバイン１を始動、停止、及び各部を調節等の操作を行う操作装置８と、操縦席７とを設け、この操縦席７の下側にエンジン７ａを載置している。
【００２３】
前記走行車台２の前端部に装架した走行用ミッションケース１１内の伝動機構１１ｂには、刈取用クラッチ１１ａ、１１ａ等を設けると共に、伝動経路中には、その出力に基づいて、走行車速を検出するポテンションメータ方式の車速センサ１１ｃを設けている。
【００２４】
前記穀粒貯留タンク６内へ貯留した穀粒を機外へ排出するこの穀粒貯留タンク６の後側には、図４で示すように、縦移送螺旋２８ａを内装した排出支持筒３１を略垂直姿勢で旋回自在に装着して設け、この排出支持筒３１の上端部には、その全長がコンバイン１の前後長に亘る機外へ穀粒を排出する排出螺旋２９ａを伸縮自在に内装した排出オーガ２９を伸縮自在、上下回動自在、及び左右旋回自在に前後方向に配設している。
【００２５】
前記走行クローラ３ａの略中央部側の左右両側を支持する各クローラローラ３ｂの左右両側には、図７で示すように、該各クローラローラ３ｂを軸支するクローラ軸３ｃを設け、この各クローラ軸３ｃには、左右方向に互いに逆向き方向に巻いて、逆方向に移送する各螺旋プレート３ｄに装着して設け、この左右両側の各螺旋プレート３ｄに多数本のブラシ３ｅを植設して設け、この各ブラシ３ｅにより、該走行クローラ３ａの内側面に付着した土、及び塵埃等を左右両外側へ向けて排出する構成である。
【００２６】
又、前記各クローラローラ３ｂの左右両側には、図８で示すように、上側部の該各クローラローラ３ｂを軸支するクローラ軸３ｃには、左右方向に互いに逆向き方向に巻いた、各螺旋プレート３ｄを軸支して設けて、該走行クローラ３ａの内側面を付着した土、及び塵埃等を左右両外側へ向けて排出する構成である。
【００２７】
これらにより、前記走行クローラ３ａの内側面に付着した土、及び塵埃等を確実に除却することができる。又、この除却により、該走行クローラ３ａの変形を防止することができる。
【００２８】
図９、及び図１０で示すように、前記走行クローラ３ａの内側上部に複数個設ける該クローラローラ３ｂを軸支するクローラ軸３ｃには、左右方向に互いに逆向き方向に巻いた、各螺旋プレート３ｄを軸支して設け、この各螺旋プレート３ｄには、多数本の棒状で弾性材のブラシ３ｅを固着して設け、この各ブラシ３ｅにより、該走行クローラ３ａの左右両側の内側面へ付着した土、及び塵埃等を左右両外側へ向けて排出する構成である。更に、上部のクローラローラ３ｂのみに、該ブラシ３ｄを設ける構成とするもよい。
【００２９】
これにより、前走行クローラ３ａの内側面に付着した土、及び塵埃等を確実に除去することができる。又、この除去により、該走行クローラ３ａの変形を防止することができる。
【００３０】
図１１、及び図１２で示すように、前記螺旋プレート３ｄには、長い複数本の長ブラシ３ｆと、複数本の短ブラシ３ｈとを、所定間隔で交互に螺旋状に植毛し、遠心方向に変えて、前進時に外向きに吐き出しする構成である。
【００３１】
これにより、前記長ブラシ３ｆと、短ブラシ３ｈとを設けることにより、付着した土に加える圧力を変化させることにより、土の除去を容易にすることができる。又、該長ブラシ３ｆ、及び該短ブラシ３ｈの折損を防止することができる。
【図面の簡単な説明】
【００３２】
【図１】主変速レバー、及びミッションケース部等の側面図
【図２】主変速レバーの操作時の正面図
【図３】操作装置の主変速レバー用溝部の拡大平面図
【図４】コンバインの左側全体側面図
【図５】主変速レバーと、規制体との関係正面図
【図６】操作装置のレバー用溝部と、掻き込み範囲との関係平面図
【図７】走行クローラのクローラローラと、螺旋プレートとの関係平面図
【図８】走行クローラのクローラ軸と、螺旋プレートとの関係平面図
【図９】走行クローラのクローラ軸に設けた螺旋プレートと、ブラシとの関係平面図
【図１０】走行クローラと、クローラローラとの、側面斜視図
【図１１】走行クローラのクローラローラと、螺旋プレートのブラシとの側面斜視図
【図１２】走行クローラと、クローラローラとの側面図
【符号の説明】
【００３３】
１ａ  機体
２    刈取装置
５    脱穀装置
９ａ    主変速レバー（変速レバー）
１０    油圧式無段変速装置
１１ａ  刈取用クラッチ
１２    サイドクラッチ
１３ａ  駆車用ブレーキペタル
【図１】
2009232771.tif 000003
【図２】
2009232771.tif 000004
【図３】
2009232771.tif 000005
【図４】
2009232771.tif 000006
【図５】
2009232771.tif 000007
【図６】
2009232771.tif 000008
【図７】
2009232771.tif 000009
【図８】
2009232771.tif 000010
【図９】
2009232771.tif 000011
【図１０】
2009232771.tif 000012
【図１１】
2009232771.tif 000013
【図１２】
2009232771.tif 000014